【手続補正書】
【提出日】平成21年2月18日(2009.2.18)
【手続補正１】
【補正対象書類名】特許請求の範囲
【補正対象項目名】全文
【補正方法】変更
【補正の内容】
【特許請求の範囲】
【請求項１】
スクランブル解除を要するデジタル放送信号を受信する受信手段と、
前記スクランブル解除のためのスクランブル解除情報が記憶された記憶媒体の試験を行う試験手段と、
前記試験手段による試験によって前記記憶媒体のエラーが検出された場合に、放送以外のコンテンツを再生する制御を行う制御手段とを有することを特徴とするデジタル放送受信機。
【請求項２】
スクランブル解除を要するデジタル放送信号と該スクランブル解除を要するデジタル放送信号以外の放送信号とを受信する受信手段と、
前記スクランブ解除のためのスクランブル解除情報が記憶された記憶媒体の試験を行う試験手段と、
前記試験手段による試験によって前記記憶媒体のエラーが検出された場合に、前記受信手段にスクランブル解除を要するデジタル放送信号以外の放送信号を受信させる制御手段とを有することを特徴とするデジタル放送受信機。
【請求項３】
前記試験手段は、前記受信手段による前記スクランブル解除を要するデジタル放送信号の受信強度が所定値以下となった場合に、前記記憶媒体の試験を行うことを特徴とする請求項１又は２記載のデジタル放送受信機。
【請求項４】
スクランブル解除のためのスクランブル解除情報が記憶された記憶媒体の試験を行うステップと、
前記試験によって前記記憶媒体のエラーが検出された場合に、放送以外のコンテンツを再生する制御を行うステップと、
前記試験によって前記記憶媒体のエラーが検出されなかった場合に、スクランブル解除を要するデジタル放送信号を受信するステップとを有することを特徴とするデジタル放送受信方法。
【請求項５】
スクランブル解除のためのスクランブル解除情報が記憶された記憶媒体の試験を行うステップと、
前記試験によって前記記憶媒体のエラーが検出された場合に、スクランブル解除を要するデジタル放送信号以外の放送信号を受信させるステップと、
前記試験試験によって前記記憶媒体のエラーが検出されなかった場合に、前記スクランブル解除を要するデジタル放送信号を受信させるステップとを有することを特徴とするデジタル放送受信方法。
【手続補正２】
【補正対象書類名】明細書
【補正対象項目名】発明の名称
【補正方法】変更
【補正の内容】
【発明の名称】デジタル放送受信機及びデジタル放送受信方法
【手続補正３】
【補正対象書類名】明細書
【補正対象項目名】０００１
【補正方法】変更
【補正の内容】
【０００１】
本発明は、デジタル放送を受信するデジタル放送受信機及びデジタル放送受信方法に関する。
【手続補正４】
【補正対象書類名】明細書
【補正対象項目名】０００４
【補正方法】変更
【補正の内容】
【０００４】
本発明は、前述したような従来の問題を解決するためになされたもので、操作性を向上させたデジタル放送受信機及びデジタル放送受信方法を提供するものである。
【手続補正５】
【補正対象書類名】明細書
【補正対象項目名】０００５
【補正方法】変更
【補正の内容】
【０００５】
本発明のデジタル放送受信機は、スクランブル解除を要するデジタル放送信号を受信する受信手段と、前記スクランブル解除のためのスクランブル解除情報が記憶された記憶媒体の試験を行う試験手段と、前記試験手段による試験によって前記記憶媒体のエラーが検出された場合に、放送以外のコンテンツを再生する制御を行う制御手段とを有することを特徴とする。
【手続補正６】
【補正対象書類名】明細書
【補正対象項目名】０００６
【補正方法】変更
【補正の内容】
【０００６】
この構成によれば、スクランブル解除情報が記憶された記憶媒体にエラーが生じた場合、換言すれば、ユーザがスクランブル解除を要するデジタル放送を視聴することができない場合には、放送以外のコンテンツの再生に切り替わるため、スクランブル解除を要するデジタル放送の視聴が不可の場合にも、ユーザの複雑な操作は必要でなく、操作性が向上する。
【手続補正７】
【補正対象書類名】明細書
【補正対象項目名】０００７
【補正方法】変更
【補正の内容】
【０００７】
また、本発明のデジタル放送受信機は、スクランブル解除を要するデジタル放送信号と該スクランブル解除を要するデジタル放送信号以外の放送信号とを受信する受信手段と、前記スクランブ解除のためのスクランブル解除情報が記憶された記憶媒体の試験を行う試験手段と、前記試験手段による試験によって前記記憶媒体のエラーが検出された場合に、前記受信手段にスクランブル解除を要するデジタル放送信号以外の放送信号を受信させる制御手段とを有することを特徴とする。
【手続補正８】
【補正対象書類名】明細書
【補正対象項目名】０００８
【補正方法】変更
【補正の内容】
【０００８】
この構成によれば、上述と同様、ユーザがスクランブル解除を要するデジタル放送を試聴することができない場合には、スクランブル解除を要するデジタル放送信号以外の放送の受信に切り替わるため、スクランブル解除を要するデジタル放送の試聴が不可の場合にも、ユーザの複雑な操作は必要でなく、操作性が向上する。
【手続補正９】
【補正対象書類名】明細書
【補正対象項目名】０００９
【補正方法】変更
【補正の内容】
【０００９】
また、本発明のデジタル放送受信機は、前記試験手段は、前記受信手段による前記スクランブル解除を要するデジタル放送信号の受信強度が所定値以下となった場合に、前記記憶媒体の試験を行うようにしてもよい。
【手続補正１０】
【補正対象書類名】明細書
【補正対象項目名】００１１
【補正方法】変更
【補正の内容】
【００１１】
本発明のデジタル放送受信方法は、スクランブル解除のためのスクランブル解除情報が記憶された記憶媒体の試験を行うステップと、前記試験によって前記記憶媒体のエラーが検出された場合に、放送以外のコンテンツを再生する制御を行うステップと、前記試験によって前記記憶媒体のエラーが検出されなかった場合に、スクランブル解除を要するデジタル放送信号を受信するステップとを有することを特徴とする。
【手続補正１１】
【補正対象書類名】明細書
【補正対象項目名】００１２
【補正方法】変更
【補正の内容】
【００１２】
本発明のデジタル放送受信方法は、スクランブル解除のためのスクランブル解除情報が記憶された記憶媒体の試験を行うステップと、前記試験によって前記記憶媒体のエラーが検出された場合に、スクランブル解除を要するデジタル放送信号以外の放送信号を受信させるステップと、前記試験試験によって前記記憶媒体のエラーが検出されなかった場合に、前記スクランブル解除を要するデジタル放送信号を受信させるステップとを有することを特徴とする。
【手続補正１２】
【補正対象書類名】明細書
【補正対象項目名】００１３
【補正方法】変更
【補正の内容】
【００１３】
本発明によれば、ユーザがスクランブル解除を要するデジタル放送を視聴することができない場合には、他の放送や放送以外のコンテンツの再生に切り替わるため、スクランブル解除を要するデジタル放送の視聴が不可の場合にも、ユーザの複雑な操作は必要でなく、操作性が向上する。
【手続補正１３】
【補正対象書類名】明細書
【補正対象項目名】００５５
【補正方法】変更
【補正の内容】
【００５５】
以上、説明したように、本発明に係るデジタル放送受信機及びデジタル放送受信方法は、操作性を向上させることができ、デジタルテレビ放送受信機等として有用である。